(57)【要約】      （修正有）【課題】ダウンショット仕掛けを用いても、安定してその仕掛けを保持することが可能な仕掛けキーパ付き釣竿を提供する。【解決手段】釣竿に設けられる仕掛けキーパ１０は、一端側に形成され竿杆の外周面に対して固定される固定部１１と、他端側に形成され竿杆１Ａの表面との間で釣糸を通過させる通過部１２と、固定部１１と通過部１２との間に形成され、錘が当接する当接部１３と、を有する。当接部１３には、穂先側から引張力が作用した状態の仕掛けの釣糸の引張力が緩んだ際、錘１０５が竿尻側に変位するのを規制する規制部１３ｂが設けられている。【選択図】図７
2019170313.tif 000002
【特許請求の範囲】
【請求項１】
釣針及び錘を具備した仕掛けの少なくとも錘を係止する仕掛けキーパを装着した仕掛けキーパ付き釣竿であって、
前記仕掛けキーパは、一端側に形成され竿杆の外周面に対して固定される固定部と、他端側に形成され竿杆表面との間で釣糸を通過させる通過部と、前記固定部と通過部との間に形成され、錘が当接する当接部と、を有し、
前記当接部には、穂先側から引張力が作用した状態の釣糸の引張力が緩んだ際、前記錘が竿尻側に変位するのを規制する規制部が設けられていることを特徴とする仕掛けキーパ付き釣竿。
【請求項２】
前記通過部は、竿杆表面に対して当て付いており、釣糸を通過させる際、竿杆表面から離間するように変位して釣糸の通過を許容することを特徴とする請求項１に記載の仕掛けキーパ付き釣竿。
【請求項３】
前記当接部は、前記固定部から竿杆表面に対して立ち上げられており、前記他端側が閉じた状態の一対の湾曲フレームを有することを特徴とする請求項１又は２に記載の仕掛けキーパ付き釣竿。
【請求項４】
前記湾曲フレームは、装着される竿杆の外径よりも左右方向に膨出していることを特徴とする請求項３に記載の仕掛けキーパ付き釣竿。
【請求項５】
前記当接部は、前記固定部から竿杆表面に対して立ち上げられた板状体を有し、
前記規制部は、前記板状体に左右方向に膨らんだ膨出部によって構成されていることを特徴とする請求項１又は２に記載の仕掛けキーパ付き釣竿。
【請求項６】
前記当接部には、釣針を掛ける開口が形成されていることを特徴とする請求項５に記載の仕掛けキーパ付き釣竿。
【発明の詳細な説明】
【技術分野】
【０００１】
本発明は、釣糸に締結された錘、釣針を引っ掛けることが可能な仕掛けキーパ付きの釣竿に関する。
【背景技術】
【０００２】
従来、釣糸の先端に締結された仕掛けの釣針を固定するためのフックキーパが知られている。フックキーパは、釣り場を移動する場合など、仕掛けが絡んだり木や身体等の他物に掛かることを防止するために、釣針を引っ掛ける構造となっている。通常、フックキーパは、竿杆に固定され、釣針を引っ掛ける係止部を備えたフレーム構造となっており、軸方向に延出する両端の固定部を竿杆表面に糸止め固定する構造、或いは、一端側の固定部を竿杆表面に固定し、他端側は竿杆表面から離間した構造が知られている。後者の構造の場合、他端側から釣糸が係止部と竿杆表面との間に入り込んで糸切れ等の問題を生じるため、例えば、特許文献１には、竿杆の表面に管状体を固定して、隙間から入り込んだ釣糸が固定部と竿杆表面との間の隙間に入り込まないようにしたフックキーパが開示されている。
【先行技術文献】
【特許文献】
【０００３】
【特許文献１】特開２０１６−１０３５２号
【発明の概要】
【発明が解決しようとする課題】
【０００４】
上記した従来のフックキーパは、先端に釣針が配設された仕掛けには適した構造となるが、図６に示すような、ラインの途中に釣針を装着し、その先端に錘（シンカー）を装着した仕掛け（ダウンショット仕掛けとも称される）１００には適切ではない。すなわち、このような仕掛けでは、釣針をフックキーパに引っ掛けると、その先の錘がぶら下がった状態となって遊んでしまい、錘によって竿杆に傷が付いたり、錘が他物に引っ掛かる可能性がある。或いは、一端側の固定部が竿杆の表面に固定され、他端側が竿杆表面から離間した構造のフックキーパでは、リールで釣糸を巻き取って錘がフックキーパの側面に当て付くように使用しても、振動などによって錘が当て付いたフックキーパから外れ易く、上記の構成と同様、錘がぶら下がった状態となってしまう。
【０００５】
本発明は、上記した問題に着目してなされたものであり、ダウンショット仕掛けを用いても、安定してその仕掛けを保持することが可能な仕掛けキーパ付き釣竿を提供することを目的とする。
【課題を解決するための手段】
【０００６】
上記した目的を達成するために、本発明は、釣針及び錘を具備した仕掛けの少なくとも錘を係止する仕掛けキーパを装着した仕掛けキーパ付き釣竿であって、前記仕掛けキーパは、一端側に形成され竿杆の外周面に対して固定される固定部と、他端側に形成され竿杆表面との間で釣糸を通過させる通過部と、前記固定部と通過部との間に形成され、錘が当接する当接部と、を有し、前記当接部には、穂先側から引張力が作用した状態の釣糸の引張力が緩んだ際、前記錘が竿尻側に変位するのを規制する規制部が設けられていることを特徴とする。
【０００７】
上記した構成の仕掛けキーパ付きの釣竿は、釣針の下方に錘を装着した仕掛け（ダウンショット仕掛け）を用いて釣り場を移動する場合等、リールを巻き上げて仕掛けの先端に締結された錘を当接部に当て付けて保持することが可能となる。この保持状態において、穂先側からの釣糸が緩んでも、当接部に当接している錘は、規制部によって竿尻側に変位できないため、安定して仕掛けを保持することが可能となる。
【０００８】
なお、上記した当接部は、ダウンショット仕掛け以外の仕掛けを用いた場合でも、釣針を引っ掛けることができる構造を備えたものであっても良い。また、固定部は、糸止め等によって竿杆の外周面に直接固定されるもの、或いは、竿杆の外周面に嵌入される筒体等に固定されて、竿杆の外周面に対して間接的に固定されるものであっても良い。
【発明の効果】
【０００９】
本発明によれば、ダウンショット仕掛けを用いても、安定してその仕掛けを保持することが可能な仕掛けキーパ付き釣竿が得られる。
【図面の簡単な説明】
【００１０】
【図１】本発明に係る仕掛けキーパ付きの釣竿の主要部を示す図。
【図２】仕掛けキーパの第１の実施形態を示す斜視図。
【図３】図２に示す仕掛けキーパの側面図。
【図４】図２に示す仕掛けキーパの平面図。
【図５】図２に示す仕掛けキーパを竿尻側から見た図。
【図６】ダウンショット仕掛けを示す図。
【図７】図２に示す仕掛けキーパの使用状態を説明する斜視図。
【図８】図２に示す仕掛けキーパの使用状態を説明する図であり、（ａ）は側面図、（ｂ）は平面図。
【図９】仕掛けキーパの第２の実施形態を示す図であり、（ａ）は平面図、（ｂ）は側面図。
【図１０】仕掛けキーパの第３の実施形態を示す図であり、（ａ）は平面図、（ｂ）は側面図、（ｃ）は正面図。
【図１１】仕掛けキーパの第４の実施形態を示す図であり、（ａ）は平面図、（ｂ）は側面図、（ｃ）は正面図。
【図１２】仕掛けキーパの第５の実施形態を示す図であり、（ａ）は平面図、（ｂ）は側面図、（ｃ）は正面図。
【発明を実施するための形態】
【００１１】
以下、図面を参照しながら本発明に係る仕掛けキーパ付き釣竿について説明する。
図１から図５は、本発明の第１の実施形態を示す図であり、図１は、釣竿の主要部を示す図、図２は、仕掛けキーパの構成を示す斜視図、図３は、図２に示す仕掛けキーパの側面図、図４は、図２に示す仕掛けキーパの平面図、そして、図５は、図２に示す仕掛けキーパを竿尻側から見た図である。
【００１２】
仕掛けキーパ付き釣竿（以下、釣竿と称する）１は、複数の竿杆（図示せず）を振出式に構成したり、並継式にすることで構成されており、図１に示すように、基端となる竿杆（元竿杆）１Ａの外周面に仕掛けキーパ１０が装着されている。前記釣竿を構成する各竿杆は、繊維強化樹脂製の管状体で形成されており、例えば、強化繊維（主に炭素繊維やガラス繊維等）にエポキシ樹脂等の合成樹脂を含浸した繊維強化樹脂プリプレグ（プリプレグシート）を芯金に巻回し加熱工程を経た後、脱芯する等、定法に従って形成することが可能である。なお、本発明に係る釣竿は、１本竿として構成されていても良く、竿杆については、中実状に構成されていても良い。
【００１３】
本実施形態の釣竿は、バスフィッシングに適した構造となっており、両軸受型リールを装着するように構成されている。このため、前記竿杆１Ａには、上面側で魚釣用リールを固定するリールシート２が設けられており、その前側（穂先側）に移動フード３Ａ、後側（竿尻側）に固定フード３Ｂが設けられている。また、竿杆１Ａには、握持性を向上するために、複数のグリップ５Ａ，５Ｂが設けられるとともに、リールシート２の反対側にトリガー６が設けられている。
なお、竿杆の外周面には、魚釣用リールから繰り出される釣糸を挿通させる複数の釣糸ガイド（図示せず）が固定されている。また、魚釣用リールとして、スピニングリールを装着する釣竿の場合、リールシート２は、下面側に設けられる。
【００１４】
前記グリップ５Ａ，５Ｂの間の竿杆１Ａの外周面には、仕掛けキーパ１０が装着されており、釣り場を移動する際、図６に示すようなダウンショット仕掛け１００を保持できるように構成されている。ここで、図６を参照して、ダウンショット仕掛け１００について説明する。
ダウンショット仕掛け１００は、ライン１０１に結束部１０２ａを介して、ソフトルアー１１０等の疑似餌を取り付ける釣針（フック）１０２が締結されており、結束部１０２ａの下側は、１５〜２０ｃｍ程度の釣糸Ｓ（針下１０４）が締結され、その先に錘（シンカー）１０５が取り付けられている。取り付けられる錘１０５は、図に示すような球状、それ以外にも、円柱状、ナス形状等のものが用いられる。
【００１５】
このようなダウンショット仕掛けは、バスフィッシング等で用いられ、錘が最下端にあることから、錘を沈み物に引っ掛けて一点で魚を誘うことが可能となる。なお、本実施形態の仕掛けキーパ１０は、図６に示すようなダウンショット仕掛け１００以外にも、最下端に釣針が締結された仕掛けにも対応できるように構成されている。
以下、本実施形態の仕掛けキーパ１０の構成について説明する。
【００１６】
前記仕掛けキーパ１０は、一端側に形成され竿杆１Ａの外周面に対して固定される固定部１１と、他端側に形成され竿杆表面との間で釣糸を通過させる通過部１２と、前記固定部１１と通過部１２との間に形成され、仕掛けの保持状態において前記錘１０５が当接する当接部１３と、を有しており、これらは、錘が当て付いたり釣針を掛けた際に変形しにくいように、アルミニウム等の金属によって一体形成されている（本実施形態では、弾性変形可能なフレーム構造とされている）。
【００１７】
前記固定部１１は、竿杆１Ａの表面に載置されるように軸方向に延びる平坦状の板片であり、竿杆１Ａの表面に載置された状態で糸２０を巻回して糸止めし、表面から樹脂を塗布することで竿杆１Ａの外周面に固定される。この場合、糸２０の部分に、キャップを嵌めて糸２０が露出しないようにしても良い。
【００１８】
前記当接部１３は、前記固定部１１から竿杆表面に対して次第に立ち上げられており、他端側（通過部側）が閉じた状態の一対の湾曲フレーム１３Ａを有している。湾曲フレーム１３Ａは左右対称に形成され、側面視で略円弧状でその中間部分１３ａが最も高い頂部となっている（図３参照）。また、各湾曲フレーム１３Ａは、装着される竿杆の外径に対して左右方向（竿杆の軸方向に対して直交する方向）に湾曲状に膨出しており、同様に平面視で略円弧状で中間部分１３ａが最も膨出した頂部となっている（図４参照）。
このため、当接部１３は、竿杆の外周面から立ち上げられた湾曲フレーム１３Ａの部分に釣針を掛けることが可能となるようなリング状（平面視した際、固定部１１と通過部１２との間に閉じた空間が形成された二股のブリッジ形状）となっている。
【００１９】
前記通過部１２は、竿杆１Ａの表面に対して当て付いており、図８（ｂ）に示すように釣糸Ｓを通過させる際、竿杆表面から離間するように変位して釣糸の通過を許容する構成となっている。すなわち、仕掛けキーパ１０を上記したような金属材で、当接部１３を湾曲構造（フレーム構造）とすることで、通過部１２の下面は、竿杆１Ａの表面に対して弾性的に点当たりして当接することが可能となる（図５参照）。
これにより、釣糸Ｓを湾曲フレーム１３Ａと竿杆１Ａとの間に入れやすく、また、湾曲フレーム１３Ａから外れ難くすることが可能となる。この場合、通過部１２の先端側１２ａは、図３に示すように、竿尻側に向けて次第に上昇するように形成するのが好ましく、これにより、釣糸Ｓを容易に通過させることができる。
【００２０】
前記当接部１３は、ダウンショット仕掛け１００を保持しようとする場合、錘１０５が当て付く部分であり、釣り場を移動する場合において、リールで仕掛けを巻き取ると最下端にある錘１０５が当接部１３の側面側に当て付くようになる。このため、当接部１３の中間部（頂部）１３ａの高さＨは、使用される錘１０５が通過できない程度に設定されている。
【００２１】
なお、本実施形態の構成では、ダウンショット仕掛け以外の仕掛けの釣針を引っ掛ける使用態様も想定していることから、そのような釣針の引っ掛け操作しやすいように、頂部１３ａの高さＨは、使用される錘が通過することができず、かつ、４ｍｍ以上確保されていることが好ましい。また、当接部１３の中間部（頂部）１３ａにおける左右方向の幅Ｗについても、釣針の引っ掛け操作しやすいように、５ｍｍ以上確保されていることが好ましい。
【００２２】
前記当接部１３には、穂先側から引張力が作用した状態の釣糸Ｓの引張力が緩んだ際、錘１０５が竿尻側に変位するのを規制するように規制部が設けられている。
本実施形態では、左右方向に膨らんだ湾曲フレーム１３Ａが規制部としての機能を果たしており、特に、穂先側の湾曲部１３ｂの領域が規制部としての機能を発揮するようになっている。すなわち、図８（ａ）（ｂ）に示すように、仕掛けを保持する場合、釣糸Ｓは、穂先側から竿杆に沿った状態となっており、錘１０５は、穂先側から引張力を受けた状態で保持され、湾曲フレーム１３Ａの側面領域、特に、穂先側の湾曲部１３ｂに当て付いた状態となる。したがって、この状態で釣糸Ｓの引張力が緩んだとしても、錘１０５は竿尻側に変位する（図８の矢印Ｄ１方向の変位）ことが規制されることから、錘１０５が湾曲フレーム１３Ａから外れることが防止され、安定した保持状態を維持することができる。
【００２３】
この場合、湾曲フレーム１３Ａの左右方向の膨出量が大きくなれば、錘１０５の変位を効果的に規制することが可能となる。具体的には、湾曲フレーム１３Ａは、装着される竿杆の外径Ｄよりも左右方向に膨出させる（左右方向の幅Ｗ＞竿杆の外径Ｄ；図４参照）ことで、錘１０５は矢印Ｄ１方向へ変位し難くなって、仕掛けをより安定して保持することが可能となる。
【００２４】
上述したように、本実施形態の仕掛けキーパ１０は、ダウンショット仕掛け１００を保持することができるとともに、釣針が最下端に設けられた仕掛けにも対応することが可能である。
ダウンショット仕掛け１００を保持する場合、釣糸Ｓを摘まんで通過部１２を介して湾曲フレーム１３Ａと竿杆表面との間に入れ込んでリールを巻き取れば良い（図７，図８参照）。この状態で釣糸Ｓは、湾曲フレーム１３Ａの内部空間から外れることはなく、錘１０５は、釣糸Ｓの引張力によって湾曲フレーム１３Ａの側面領域（穂先側の湾曲部１３ｂ）に当て付いた状態で安定して保持される。この場合、釣糸Ｓが緩んだとしても、上記したように、錘１０５は、竿尻側への移動が規制されることから、錘１０５が湾曲フレーム１３Ａから外れることが防止され、安定した保持状態が維持される。
【００２５】
また、ダウンショット仕掛け以外の仕掛けでは、最下端の釣針を湾曲フレーム１３Ａに引っ掛けて使用することが可能である。上記したように、釣針を引っ掛ける部分は、フレーム形状（二股状のブリッジ部分）となっており、上記したように、その高さＨを４ｍｍ以上、幅Ｗを５ｍｍ以上確保することで、引っ掛け作業が容易に行えるようになる。
【００２６】
図９は、仕掛けキーパの第２の実施形態を示す図であり、（ａ）は平面図、（ｂ）は側面図である。
本実施形態の仕掛けキーパ３０は、屈曲した板状体として構成されており、錘１０５が当接する当接部３３は、固定部３１から竿杆１Ａの表面に対して立ち上げられた形状となっている。すなわち、図９（ｂ）に示すように、当接部３３は、固定部３１から次第に立ち上げられ、一定量立ち上がった位置（屈曲部３３ａ）で水平方向に延出し、その端部側が竿杆表面との間に釣糸Ｓが通過する空隙となった通過部３２を構成している。
【００２７】
板状に構成されている当接部３３には、図９（ａ）に示すように、通過部３２側に向けて次第に幅方向に広がる膨出部３３Ａが形成されており、その側面３３ｂが上記した実施形態と同様、規制部を構成する。
【００２８】
このような構成の仕掛けキーパであっても、ダウンショット仕掛けを安定して保持することが可能となる。なお、図９（ａ）に示すように、当接部３３のいずれかの部分に、釣針を掛ける開口３６を形成しておくことが好ましい。
このような開口を形成しておくことで、上記した実施形態と同様、ダウンショット仕掛け以外の仕掛けに対応することも可能となる。
【００２９】
図１０は、仕掛けキーパの第３の実施形態を示す図であり、（ａ）は平面図、（ｂ）は側面図、（ｃ）は正面図である。
本実施形態の仕掛けキーパ４０は、第２実施形態と同様、屈曲した板状体として構成されており、錘１０５が当接する当接部４３は、固定部４１から竿杆１Ａの表面に対して僅かに立ち上げられ、屈曲部４３ａでそのまま竿尻側に向けて略水平に延出するように形成されている。前記当接部４３には、左右両側が竿杆１Ａの側面を覆う（竿杆の外径に対して左右方向に膨出する）ように膨出部４３Ａが形成されており、この膨出部４３Ａは、最下点となる下端部４３ｂまで湾曲状に垂れ下がり、下端部４３ｂから先（竿尻側）は、幅方向に狭くなりながら、竿杆１Ａの上面の中央に向けて湾曲状に僅かに上昇する形状となっている。そして、当接部４３には、竿杆１Ａの中央部で釣糸Ｓが挿通できるように、弾性的に点当たりする通過部４２が形成されている。
【００３０】
前記膨出部４３Ａは、通過部４２から仕掛けの釣糸Ｓを通過させて釣糸Ｓに引張力が作用すると、膨出部４３Ａの裏側に錘１０５の上側が当て付いて保持されるようになる。すなわち、膨出部４３Ａは、側面に膨出しながら下方側に向けて湾曲しているため、その裏側の湾曲面に錘１０５が当て付くこととなり、錘１０５の軸方向への変位を規制する規制部を構成する。
【００３１】
このような構成の仕掛けキーパであっても、ダウンショット仕掛けを安定して保持することが可能となる。なお、当接部４３のいずれかの部分に、釣針を掛ける開口４６を形成しておくことが好ましい。
このような開口４６を形成しておくことで、上記した実施形態と同様、ダウンショット仕掛け以外の仕掛けに対応することも可能となる。
【００３２】
図１１は、仕掛けキーパの第４の実施形態を示す図であり、（ａ）は平面図、（ｂ）は側面図、（ｃ）は正面図である。
本実施形態の仕掛けキーパ５０は、第３実施形態の板状体を、フレーム構造としたものである。すなわち、錘が当接する当接部５３は、固定部５１から竿杆１Ａの表面に対して僅かに立ち上げられて左右方向に分岐する二股のブリッジ形状（一対の湾曲フレーム５３Ａ）となっており、各湾曲フレーム５３Ａには、竿杆１Ａの外径に対して左右方向に膨出し、竿杆１Ａの側面を覆うように下降する屈曲部５３ａが形成されている。
【００３３】
前記湾曲フレーム５３Ａは、最下点となる下端部５３ｂまで湾曲状に垂れ下がり、下端部５３ｂから先（竿尻側）は、幅方向に狭くなりながら、竿杆１Ａの上面の中央に向けて湾曲状に上昇した形状となっている。そして、竿杆１Ａの中心位置で交わって、竿杆１Ａの表面に弾性的に点当たりする通過部５２を形成している。
【００３４】
前記湾曲フレーム５３Ａの屈曲部５３ａは、側面に膨出しながら下方側に向けて湾曲しているため、釣糸Ｓに引張力が作用すると、その裏側に錘１０５の上側が当て付いて錘１０５の軸方向への移動が規制された状態となり、錘１０５が竿尻側に変位するのを規制する規制部を構成する。
【００３５】
このような構成の仕掛けキーパであっても、ダウンショット仕掛けを安定して保持することが可能となる。また、このような構成では、各湾曲フレーム５３Ａに釣針を掛けることができ、上記した実施形態と同様、ダウンショット仕掛け以外の仕掛けに対応することも可能となる。
【００３６】
図１２は、仕掛けキーパの第５の実施形態を示す図であり、（ａ）は平面図、（ｂ）は側面図、（ｃ）は正面図である。
本実施形態の仕掛けキーパ６０は、第４実施形態と同様、フレーム構造としたものであり、錘１０５が当接する当接部６３は、固定部６１から竿杆１Ａの表面に沿って延出し左右方向に分岐する二股の形状（一対の湾曲フレーム６３Ａ）で構成されている。各湾曲フレーム６３Ａには、竿杆１Ａの外径に対して左右方向に膨出し、竿杆１Ａの側面を覆うように下降する屈曲部６３ａが形成されている。各屈曲部の最下点となる下端部６３ｂから先は、竿尻側に向けて略水平に延出しており、その先端は、竿杆１Ａの側面に弾性的に点当たりする通過部６２を形成している。
【００３７】
このため、湾曲フレーム６３Ａの屈曲部６３ａは、釣糸Ｓに引張力が作用すると、その裏側に錘１０５の上側が当て付いて錘１０５の軸方向への移動が規制された状態となり、錘１０５が竿尻側に変位するのを規制する規制部を構成する。
【００３８】
このような構成の仕掛けキーパであっても、ダウンショット仕掛けを安定して保持することが可能となる。また、このような構成では、各湾曲フレーム６３Ａに釣針を掛けることができ、上記した実施形態と同様、ダウンショット仕掛け以外の仕掛けに対応することも可能となる。
【００３９】
以上、本発明の実施形態について説明したが、本発明は、上記した実施形態に限定されることはなく、種々変形することが可能である。
例えば、釣竿は、リールシートが装着されていない構成であっても良く、グリップの形状、配設位置などは限定されることはない。また、仕掛けキーパが設置される位置については、限定されることはなく、図１において、下面側に配設しても良いし、側面側に配設しても良い。
【００４０】
また、上記した実施形態において、ダウンショット仕掛けの錘が当接する当接部については、フレーム構造、或いは、板状体にしたが、これらの形状は一例を示したにすぎず、その構成（湾曲形状、屈曲形状、規制部の形状、及び、釣針を引っ掛ける部分の構成など）については適宜変形することが可能である。
【符号の説明】
【００４１】
１  釣竿
１Ａ  竿杆（元竿杆）
１０，３０，４０，５０，６０  仕掛けキーパ
１１，３１，４１，５１，６１  固定部
１２，３２，４２，５２，６２  通過部
１３，３３，４３，５３，６３  当接部
１３Ａ  湾曲フレーム
１３ｂ  湾曲部（規制部）
３３ｂ  側面（規制部）
１００  ダウンショット仕掛け
１０５  錘
Ｓ  釣糸
【図１】
2019170313.tif 000003
【図２】
2019170313.tif 000004
【図３】
2019170313.tif 000005
【図４】
2019170313.tif 000006
【図５】
2019170313.tif 000007
【図６】
2019170313.tif 000008
【図７】
2019170313.tif 000009
【図８】
2019170313.tif 000010
【図９】
2019170313.tif 000011
【図１０】
2019170313.tif 000012
【図１１】
2019170313.tif 000013
【図１２】
2019170313.tif 000014